(57)【要約】【課題】排気のドレンパン側への逆流を防止し、排気と排水を共用ダクトで行える空気調和機を提供する。【解決手段】空気調和機の室内機１の内部に、排気路１０の一部を構成する排気部１４と、ドレンパン７からのドレン水を排気部１４に合流させる開口部２０とを備えた合流ボックス９を設け、ドレンホースと室内空気の排気ホースとを１本化させる。また、開口部２０の排気部側に、排気がドレンパン側へ逆流するのを防止する逆止弁１６を設け、排気がドレンパン側から室内に逆流するのを防ぎ、逆流によるドレン水の不快な泡立ち音や漏水を防止する。【選択図】　図４
2004028457.tif 000002
【特許請求の範囲】
【請求項１】
排気用空気等の気体とドレン水等の液体を共通の通路を介して排出する気液排出装置において、
前記排気用空気等の気体の排気を行う専用のファンと、ドレン水等の液体を排出する開口部を開閉する弁とを備えたことを特徴とする気液排出装置。
【請求項２】
排気用空気等の気体とドレン水等の液体を共通の通路を介して排出する気液排出装置において、
前記排気用空気等の気体を排出する排気路の一部を構成する排気部と、ドレン水等の液体を前記排気部に合流させる開口部とを備えた合流ボックスが設けられ、前記開口部の排気部側に、排気がドレンパン側へ逆流するのを防止する逆止弁が設けられたことを特徴とする気液排出装置。
【請求項３】
前記合流ボックスに、ドレン水等の液体を貯水する貯水部が設けられたことを特徴とする請求項２に記載の気液排出装置。
【請求項４】
前記合流ボックスは、排気部側の底面が貯水部側の底面よりも低く設定されたことを特徴とする請求項３に記載の気液排出装置。
【請求項５】
前記合流ボックスの出口側に前記共通の通路である排気・排水兼用の共用ダクトが接続されたことを特徴とする請求項２に記載の気液排出装置。
【請求項６】
前記共用ダクトが断熱材で覆われていることを特徴とする請求項５に記載の気液排出装置。
【請求項７】
前記逆止弁は、運転停止条件で閉口状態となるように設定された特徴とする請求項２に記載の気液排出装置。
【請求項８】
前記逆止弁は、排気運転停止時に開口状態となるように設定されたことを特徴とする請求項２に記載の気液排出装置。
【請求項９】
前記逆止弁は、排気運転停止時に自重又は弾性作用によって開口状態となるように設定されたことを特徴とする請求項８に記載の気液排出装置。
【請求項１０】
前記逆止弁に、排気運転時に弁が閉まりやすいように排気の風圧を受ける受圧翼が設けられたことを特徴とする請求項８又は９に記載の気液排出装置。
【請求項１１】
前記受圧翼は、合流ボックスの排気入口から出口に至る排気路に複列に配置され、該受圧翼間が排気路として設定されたことを特徴とする請求項１０に記載の気液排出装置。
【請求項１２】
前記開口部の周縁に逆止弁が離着座する弁座が設けられ、該弁座の上端側が下端側よりもボックス出口側に突設され、該弁座に離着座する前記逆止弁の弁子が弾性材から構成されたことを特徴とする請求項７〜１０のいずれかに記載の気液排出装置。
【請求項１３】
室内熱交換器と、該室内熱交換器に発生するドレン水と室内の排気用空気を共通の通路を介して排出する気液排出装置とを備えた空気調和機において、
前記気液排出装置は、室内の排気用空気を室外に排出する専用のファンと、前記ドレン水を排出する開口部を開閉する弁とを備えたことを特徴とする空気調和機。
【請求項１４】
室内熱交換器と、該室内熱交換器に発生するドレン水と室内の排気用空気を共通の通路を介して排出する気液排出装置とを備えた空気調和機において、
前記気液排出装置に、排気用空気の排気路の一部を構成する排気部と、ドレンパンからのドレン水を前記排気部に合流させる開口部とを備えた合流ボックスが設けられ、該開口部の排気部側に、排気がドレンパン側へ逆流するのを防止する逆止弁が設けられたことを特徴とする空気調和機。
【請求項１５】
前記合流ボックスが、前記室内熱交換器に発生するドレン水を受け止めるドレンパンに連通され、該ドレンパンからのドレン水を貯水する貯水部が設けられたことを特徴とする請求項１４に記載の空気調和機。
【発明の詳細な説明】
【０００１】
【発明の属する技術分野】
本発明は、排気用空気等の気体とドレン水等の液体を共通の通路を介して排出する気液排出装置及びこれを備えた空気調和機に関するものである。
【０００２】
【従来の技術】
従来、この種の気液排出装置を備えた空気調和機として、実公平７−３７０７２号公報記載のものが知られている。この空気調和機は、ドレンパンの一側端面に隣接して排気ダクトが形成され、この排気ダクトの一側面に開口が形成されている。室内空気を吸込んで室内に循環する室内送風ファンによる風の流れの一部を、排気ダクトの開口部に導き、この開口部に導いた風を排気ダクトを通して室外へ排出させるようにしている。また、ドレンパンと排気ダクトの隣接部分に穴が開いており、ドレン水は、この穴から排気ダクトを通り、室外へ排出される構造となっている。
【０００３】
【発明が解決しようとする課題】
ところで、上記の空気調和機では、室外への排気の一部がドレンパン側に逆流し、室内側に逆戻りするおそれがある。ドレン水が溜まっている状況で、上記排気の逆流が起こると、ドレン水があわ立ち、漏水や不快な音が発生するおそれがある。
【０００４】
また、室内の空気を排出するためのファンは、室内ファンと兼用しているために、屋外への通路抵抗に対して、ファンの静圧が小さく、そのため空気の排気量が減少し、十分な換気を行うことができないといった問題があった。
【０００５】
本発明は、上記に鑑み、排気がドレンパン側に逆流するのを防止し、排気と排水を共用のダクトで行える気液排出装置及びこれを備えた空気調和機の提供を目的とする。
【０００６】
【課題を解決するための手段】
上記目的を達成するため、本発明は、排気用空気等の気体とドレン水等の液体を共通の通路を介して排出する気液排出装置において、前記排気用空気等の気体の排気を行う専用のファンと、ドレン水等の液体を排出する開口部を開閉する弁とを備えたことを特徴としている。
【０００７】
上記構成によると、排気用空気等の気体の排気を行う専用のファンを設けたので、排気量が増大して十分な換気を行うことができ、また、ドレン水等の液体を排出する開口部に弁を設けたので、室外への排気の一部が逆流するのを防止でき、漏水や不快な音が発生するのを防止することができる。
【０００８】
また、本発明においては、排気用空気等の気体を排出する排気路の一部を構成する排気部と、ドレン水等の液体を前記排気部に合流させる開口部とを備えた合流ボックスが設けられ、前記開口部の排気部側に、排気がドレンパン側へ逆流するのを防止する逆止弁が設けられたことを特徴としている。
【０００９】
上記構成によると、合流ボックスにより、気体と液体とを合流させて共通の通路から排出することができ、排水用ホースと排気ホースとを１本化することができ、排気ホースの断面積を大きくとることができて、排気能力が向上すると共に、気液排出装置並びにこれを搭載した空気調和機の設置時の工事性も向上する。また、合流ボックスの開口部に設けた逆止弁により、排気がドレンパン側から室内に逆流することなく、室外に排出できるので、逆流によるドレン水の不快な泡立ち音や漏水を防止することができる。
【００１０】
また、上記構成に加えて、合流ボックスにドレン水等の液体を貯水するための貯水部を設ける構成も採用することができる。この構成によると、逆止弁が閉じている排気運転時でも、ドレン水が貯水部に一定量溜まると、水圧により逆止弁が開き、少量ずつ排気側に排出されるので、排気と排水を同時に行うことができる。
【００１１】
この場合、合流ボックスは、排気部側の底面が貯水部側の底面よりも低く設定された構成を採用することができる。この構成によると、合流ボックスの排気側に流れ込んだドレン水が、排気側の底面より高い位置にあるドレン水側に逆流することなく、室外へ排出することができる。
【００１２】
また、上記構成に加えて、前記共通の通路である排気・排水兼用の共用ダクトが接続され、該共用ダクトが断熱材で覆われた構成も採用可能である。この構成によると、排水用ホースと排気ホースとを１本化することができ、排気ホースの断面積を大きくとることができて排気能力を向上させることができる。
【００１３】
さらに、共用ダクトには低温のドレン水等の液体が流れた場合、ダクト表面に結露が生じる可能性があるが、この共用ダクトを断熱材で覆えば、ダクト表面の結露を防止することができる。
【００１４】
ここで、逆止弁は、少なくとも排気運転時においてはドレン水側に排気が逆流しないようにする機能を有する構成であればよく、その他の運転・停止状態における弁状態は特に限定されるものではなく、その他の目的に応じて適宜設定すればよい。例えば、逆止弁は、運転停止条件で閉口状態となるように設定された構成が例示できる。この場合、排気が室内に逆流するのを防止することができる。
【００１５】
また、逆止弁は、排気運転停止時に開口状態となるように設定された構成も採用することができる。この場合、ドレン水の水垢や埃が逆止弁に付着して冷房使用期間外に乾燥したとしても、開口部は開弁状態を維持するので、その後の冷房使用時に発生したドレン水等の液体も出口側に排出することができ、長期間の使用も可能となる。
【００１６】
この場合の逆止弁は、排気運転停止時に自重又は弾性作用によって開口状態となるように設定された構成が好適である。
【００１７】
さらに、上記構成に付加して、前記逆止弁に、排気運転時に弁が閉まりやすいように風圧を受ける受圧翼が設けられた構成も採用することができる。この構成によると、排気運転時に、受圧翼が受ける風圧を利用して逆止弁を確実に閉弁状態にすることができる。
【００１８】
この受圧翼は、合流ボックスの排気入口から出口に至る排気路に複列に配置され、該受圧翼間が排気路として設定された構成も採用可能である。この構成によると、排気運転時に弁を確実に閉弁状態にすることができると共に、合流ボックスに流入した排気を整流してスムーズに出口に導くことができる。
【００１９】
また、前記開口部の周縁に逆止弁が離着座する弁座が設けられ、該弁座の上端側が下端側よりもボックス出口側に突設され、該弁座に離着座する前記逆止弁の弁子が弾性材から構成された気液排出装置も提供することができる。この構成によれば、冷房運転かつ排気運転時において、逆止弁が開く際には、必ず水圧の高い開口部の下部から隙間ができることになり、不快な泡立ち音を防止することができる。
【００２０】
また、本発明においては、上記気液排出装置を空気調和機に組み込むことによって、室内熱交換器からのドレン水を排気用空気と共に排出することができる。すなわち、本発明は、室内熱交換器と、該室内熱交換器に発生するドレン水と室内の排気用空気を共通の通路を介して排出する気液排出装置とを備えた空気調和機において、前記気液排出装置は、室内の排気用空気を室外に排出する専用のファンと、前記ドレン水を排出する開口部を開閉する弁とを備えたことを特徴とする空気調和機も提供することができる。
【００２１】
また、本発明においては、気液排出装置に、排気用空気の排気路の一部を構成する排気部と、ドレンパンからのドレン水を前記排気部に合流させる開口部とを備えた合流ボックスが設けられ、該開口部の排気部側に、排気がドレンパン側へ逆流するのを防止する逆止弁が設けられたことを特徴とする空気調和機も提供することができる。
【００２２】
この場合、合流ボックスが、室内熱交換器に発生するドレン水を受け止めるドレンパンに連通され、該ドレンパンからのドレン水を貯水する貯水部が設けられた構成を採用することができる。
【００２３】
【発明の実施形態】
以下、本発明による空気調和機の実施形態について図面を参照して説明する。
【００２４】
＜第１の実施形態＞
図１は本発明の第１の実施形態である空気調和機の室内機において、前面パネルを取り外して主要部品を示す分解斜視図である。図１において、１は室内機、２は背面パネル、３は室内熱交換器、４は室内ファン、５は前面パネルや背面パネルに形成される吸込口、６は室内機１の下面に形成される吹出口、７はドレンパン、８は換気用排気ファン、９は合流ボックスである。
【００２５】
室内機１は、図示しない前面パネルと背面パネルとからユニットケースが構成され、室内の壁面に取付板（図示略）により取り付けられる。このユニットケース内には、室内空気を前面パネルや背面パネル上面の吸込口５から吸い込み、かつ吹出口６から吹き出すための室内ファン４と、室内空気と室外ユニット（図示略）から供給された冷媒との間で熱交換を行う室内熱交換器３と、室内熱交換器３に発生するドレン水を受け止めるドレンパン７とを備えている。
【００２６】
室内ファン４はクロスフローファンであり、室内熱交換器３の背面側に配置され、吸込口５から吸込んだ空気を室内熱交換器３を流れる冷媒との間で熱交換し、その空気をユニット下方の吹出口６から吹出すようにしている。
【００２７】
冷房運転時や除湿運転時に室内熱交換器３で発生するドレン水を受け止めるドレンパン７は、室内熱交換器３の下方に室内ファン４の回転軸の軸方向に長く形成され、その一側に配置された後述する排気路１０の合流ボックス９に連通接続されている。
【００２８】
図２は図１の室内ファンの一側の排気路に設けられた気液排出装置を背面側からみた斜視図、図３は気液排出装置の排気ファンケースを取り外した状態を示す分解斜視図である。排気用空気等の気体とドレン水等の液体を共通の通路を介して排出する気液排出装置を以下のように構成される。すなわち、図２及び図３において、９は合流ボックス、１０は排気路、１１は排気ファンを覆うファンケース、１２は合流ボックス内の仕切壁、１３はドレンパン側の貯水部、１４は排気路側の排気部、１５は合流ボックスの排気・排水兼用の出口、１６は仕切壁に設けられた逆止弁、図２に示す符号１７は共用ダクトである。
【００２９】
図２及び図３に示すように、気液排出装置は、室内ファン４の回転軸の軸方向一側には、室内機１の前面側から吸込んだ、汚れた室内空気を室外へ排出するための排気路１０が設けられ、この排気路１０には、室内空気を室内機前面側から背面側に導く換気用排気ファン８と、ドレンパン７からのドレン水を排気路１０に合流させる機能を有する合流ボックス９と、該合流ボックス９の出口１５側に接続され、室内壁に形成された貫通穴（図示略）を貫通可能な径を有する排気・排水共用ダクト１７とが設けられている。
【００３０】
換気用排気ファン８は、ファンケース１１に覆われて合流ボックス９の上方に配置され、室内機１の前面から吸込んだ空気を合流ボックス９の排気部１４からボックス出口１５に導くものである。
【００３１】
図４は合流ボックスの詳細を示す断面図である。この合流ボックス９は、室内機内の換気用排気ファン８の送風口と、ドレンパン７の排水口に接続するように配置される。
【００３２】
図４において、１８はドレン水の入口、１９は排気の入口、１５は排気及びドレン水共用の出口、１３はドレン水を貯水する容器状の貯水部、１４は排気の通過する排気部であり、貯水部１３と排気部１４とは仕切壁１２を挟んで互いに隣接配置されている。ドレン水の入口１８は、貯水部１３の上方に開口され、また、排気入口１９は箱状の排気部１４の上方に開口されている。共用の出口１５は、排気部１４の背面下部に形成され、共用ダクト１７と接続しやすいように筒状の突出出口とされている。
【００３３】
また、図４において、２０は排気とドレン水の合流部にある開口部であり、排気部１４とドレン水貯水部１３を仕切る仕切壁１２の下部に形成されている。逆止弁１６は、排気とドレン水の合流部にある開口部２０の排気部１４側に設けられた逆流防止用の弁であり、開口部２０より高い位置に水平の回動軸１６ａを有し、排気運転時に開口部２０を閉じるだけの大きさを有している。
【００３４】
ドレン水貯水部１３は、排気部１４側から逆止弁１６に最大の風圧がかかった場合においても、ドレン水が溢れないだけの深さを有している。排気部１４および出口１５の底面１５ａは、図４に示すように、ドレン水貯水部１３の底面１３ａより低い位置に配置されている。
【００３５】
２１は排気とドレン水の合流部にある開口部２０の外周に沿って排気部側に突き出した弁座であり、逆止弁１６の閉口状態においては、逆止弁１６の面と弁座２１の面が接触してシールされる構造となっている。弁座２１の突出量は、逆止弁１６の下端が回転軸１６ａよりも出口１５側に突出した傾斜状態で閉口する程度に設定され、運転停止時に逆止弁１６がその自重で閉口するようにしている。
【００３６】
共用ダクト１７は、図２に示すように、排気用空気等の気体とドレン水等の液体の両方を排出する共通の通路であり、ホース等の管から構成されている。共用ダクト１７は、その一側端が筒状のボックス出口１５に外嵌接続され、他側端が壁穴（図示略）を通り室外に設置されている。この共用ダクト１７は、断熱材２２により覆われ、低温のドレン水が流れてもダクト表面の結露を防止できるようになっている。
【００３７】
次に、上記構成の空気調和機の動作について説明する。図５は冷房運転時の合流ボックス９の状態図である。図５に示すように、空気調和機が冷房もしくは除湿運転すると、室内熱交換器３からドレン水がドレンパン７に流れ込み、合流ボックス９のドレン水貯水部１３に溜まる。図５に示すように、ドレン水貯水部１３に溜まったドレン水の水圧が逆止弁１６の自重に打ち勝った時点で、ドレン水は逆止弁１６を押し開き、重力により排気部１４、出口１５、排気排水共用ダクト１７を順に通って、室外に排出される。
【００３８】
図６は冷房停止かつ排気運転時の合流ボックスの状態図である。図に示すように、冷房停止かつ排気運転時においては、換気用排気ファン８によって押し出された室内空気は合流ボックス９の排気部１４、出口１５、排気排水共用ダクト１７を順に通って、室外に排出される。このとき、逆止弁１６は自重と風圧により閉じているので、排気がドレン水貯水部１３に流れ込むことは無く、室内へ逆流することは無い。
【００３９】
図７は冷房運転かつ排気運転時の合流ボックスの状態図である。図に示すように、冷房運転かつ排気運転時においては、排気は前記排気のみの運転時と同様の流れによって、室外に排出される。一方、ドレン水は合流ボックス９のドレン水貯水部１３に流れ込んだ後、ドレン水貯水部１３に溜まったドレン水の水圧が排気による風圧と逆止弁１６の自重の合成力に打ち勝った時点で、ドレン水は逆止弁１６を押し開き、排気とともに排気部１４、出口１５、排気排水共用ダクト１７を順に通って、室外に排出される。
【００４０】
ドレン水が逆止弁１６を押し開いたとき、排気が貯水部１３側に逆流しようとする力よりドレン水が排気部１４側に出ようとする力のほうが大きいため、排気がその間隙から逆流することはなく、ドレン水のみがその間隙を流れる。
【００４１】
＜第２の実施形態＞
図８は本発明の第２の実施形態を示す合流ボックスの詳細図である。本実施形態の合流ボックス９は、冷房使用期間外にドレン水の水垢や埃が弁に付着しても確実に開閉できる弁構造を備えたものである。
【００４２】
図に示すように、合流ボックス９は、室内機内の換気用排気ファンの送風口とドレンパンの排水口に接続するように配置される。本実施形態の合流ボックス９は、弁構造を除いて第１の実施形態と同様な構成であるので、第１の実施形態と同様な構成は、同一符号を用い、その説明を省略する。
【００４３】
本実施形態における弁構造は、箱状の合流ボックス９の本体９ａに、別部材としての上面蓋２３と仕切壁１２とが取り付けられている。上面蓋２３には、ドレン水の入口１８及び排気入口１９が開口されている。仕切壁１２は、その上端部が上面蓋２３の内面段差部に係止されると共に、下端部がボックス本体９ａの底面から立ち上がる立上がり壁９ｂの凹部に係止されている。
【００４４】
仕切壁１２の下部には、排気とドレン水の合流部である開口部２０が形成され、その排気部側周縁に、逆止弁１６が離着座する筒状の弁座２１が排気部１４側に突出されている。仕切壁１２及び弁座２１は、その上端側が排気出口側に突出した傾斜を持たせ、運転停止時に逆止弁１６がその自重で弁座２１から離座し、開口部２０が開口状態になるようにしている。
【００４５】
従って、ドレン水の水垢や埃が逆止弁１６に付着して冷房使用期間外に乾燥したとしても、開口部２０は開弁状態を維持するので、その後の冷房使用時に発生したドレン水も出口１５側に排出することができ、長期間の使用も可能となる。
【００４６】
逆止弁１６は、仕切壁１２の排気部側の上端軸受部に回動自在に軸支された弁杆１６ｂと、その下端から開口部２０側に突出するピン１６ｃに嵌着する円板状の弁子１６ｄとから構成され、室内空気を排出する排気運転時に開口部２０を閉じるだけの大きさを有している。
【００４７】
開口部２０のドレンパン７側に形成されるドレン水貯水部１３は、排気部１４側から逆止弁１６に最大の風圧がかかった場合においても、ドレン水が溢れないだけの深さを有している。
【００４８】
図９は冷房および除湿運転時の合流ボックス９の動作状態を示す断面図である。図に示すように、空気調和機が冷房もしくは除湿運転すると、室内熱交換器３からドレン水がドレンパン７に流れ込み、合流ボックス９のドレン水貯水部１３に流れ込む。このとき、逆止弁１６は、図９に示すように、開口状態であるので、ドレン水は開口部２０を通過し、重力により排気部１４、出口１５、および共用ダクト１７の順に通って室外に排出される。
【００４９】
図１０は冷房・除湿停止かつ排気運転時の合流ボックス９の動作状態を示す断面図である。図に示すように、冷房・除湿停止かつ排気運転時においては、換気用排気ファン８によって押し出された室内空気は、排気入口１９から合流ボックス９に流入し、合流ボックス９の排気部１４、出口１５、および共用ダクト１７を通って室外に排出される。このとき、逆止弁１６は排気部１４の風圧により閉じるので、排気がドレン水貯水部１３に流れ込むことは無く、室内へ逆流することは無い。
【００５０】
図１１は冷房・除湿運転かつ排気運転時の合流ボックス９の動作状態を示す断面図である。図に示すように、冷房運転かつ排気運転時においては、排気は前記排気単独運転時と同様の流れによって室外に排出される。一方、ドレン水は合流ボックス９のドレン水貯水部１３に流れ込んだ後、ドレン水貯水部１３に溜まったドレン水の水圧が排気による風圧に打ち勝った時点で、ドレン水が弁１６を押し開き、排気とともに排気部１４、出口１５、共用ダクト１７の順に通って室外に排出される。
【００５１】
＜第３実施形態＞
図１２は本発明の第３の実施形態における合流ボックスの詳細図である。本実施形態は、逆止弁１６の排気部１４側に風圧を受けるための受圧翼２５が取り付けられ、排気の風圧が弱い場合でも、逆止弁１６を閉める力を強くするようにしている。
【００５２】
受圧翼２５は、弁杆１６ｂの出口１５側に一体形成されたもので、排気入口１９から出口１５に至る排気路の外側面側で湾曲した曲面２５ａが形成されている。
【００５３】
本実施形態における動作は、第２の実施形態と同様であるが、排気運転時においては、換気用排気ファン８からの風が受圧翼２５に当たることで、逆止弁１６をより確実に閉め、逆流を防止するようにしている。
【００５４】
＜第４の実施形態＞
図１３は本発明の第４の実施形態における合流ボックスの詳細図である。本実施形態では、第３実施形態に比べて、さらに風圧を受けるために、複数の受圧翼２５、２６、２７並びに排気導入翼２８が形成されたものである。
【００５５】
受圧翼２５、２６、２７は、弁杆１６ｂの出口１５側に一体形成されたもので、排気入口１９から出口１５に至る湾曲した排気路に複列（３列）に配列され、複列の受圧翼２５，２６、２７間に湾曲した前記排気路が形成される。複列の受圧翼２５、２６、２７同士はその上流側及び下流側で排気を阻害しない連結片２９によって互いに連結される。
【００５６】
排気導入翼２８は、湾曲した排気路の最も内側に位置する受圧翼２７の上流側に連続して形成され、その上端は排気入口１９の開口端部付近まで延設され、排気入口１９に入った空気を受圧翼２５、２６、２７間に導くようになっている。
【００５７】
上記構成によれば、第３の実施形態に比べて、風圧を受ける翼２５〜２８を増やし、さらに逆止弁１６を閉まりやすくすると同時に、受圧翼２５，２６，２７間に排気の流路を設定することで、乱れの少ない流れとなり、排気性能を上げることができる。その他の動作は、上記第３の実施形態と同様である。
【００５８】
＜第５の実施形態＞
図１４は本発明の第５の実施形態における合流ボックスの詳細図である。図に示すように、本実施形態は、第４の実施形態をさらに改良して、逆止弁１６と弁座２１との当たり角度を持たせ、かつ逆止弁１６の材質は、弾性材から構成されている。具体的には、柔軟性のあるゴムを使用している。
【００５９】
すなわち、仕切壁１２の開口部２０の周縁に排気部１４側に突出するように形成されたリブ状の弁座２１のうち、上端側の弁座部分２１ａが下端側２１ｂのそれよりも出口１５側に突出するように設定される。さらに、逆止弁１６は、柔軟性のあるゴム素材を使用して弾性変形可能に形成される。
【００６０】
これは、冷房・除湿運転かつ排気運転時のドレン水がたまって弁１６を押し開く際に、水圧の低い開口部２０の上部に隙間ができると、その部分から排気が逆流し、ボコボコと泡立つおそれがあるので、これを防止するために、弁が開く際は必ず水圧の高い開口部２０の下部側に隙間３０ができるようにしたものである。
【００６１】
図１５は冷房・除湿停止かつ排気運転時の合流ボックスの動作状態を示す断面図である。図に示すように、排気単独運転時には、排気の風圧により弁１６が閉まり、ゴムの弾性により逆止弁１６が弁座２１の形状に合わせて変形し開口部２０をシールする。
【００６２】
図１６は冷房・除湿運転かつ排気運転時の合流ボックスの動作状態を示す断面図である。図に示すように、冷房・除湿運転かつ排気運転時には、ドレン水が溜まると、その水圧により、開口部２０の上部よりも下部に隙間３０が生じ、その隙間を通ってドレン水が排出される。なお、排気運転停止時の動作は、上記第４の実施形態と同様である。
【００６３】
なお、本発明は、上記実施形態に限定されるものではなく、本発明の範囲内で修正・変更を加えることができるのは勿論である。例えば、上記実施形態では、気液排出装置を空気調和機に搭載した例を示したが、これに限らず、単独で又は他の機器に搭載する態様であってもよい。また、第２ないし第５の実施形態において、排気運転停止時に逆止弁１６が自重により開放するよう設定したが、これに限らず、弁座２１と逆止弁１６との間に弾性材を介在して強制的に開放するように設定してもよい。
【００６４】
【発明の効果】
以上の説明から明らかな通り、本発明に係る気液排出装置においては、排気用空気等の気体の排気を行う専用のファンを設けたので、排気量が増大して十分な換気を行うことができ、また、ドレン水等の液体を排出する開口部に弁を設けたので、室外への排気の一部が逆流するのを防止でき、漏水や不快な音が発生するのを防止することができる。
【００６５】
さらに、本発明においては、排気用空気等の気体を排出する排気路の一部を構成する排気部と、ドレン水等の液体を前記排気部に合流させる開口部とを備えた合流ボックスを設けたので、この合流ボックスにより、気体と液体とを合流させて共通の通路から排出することができ、排水用ホースと排気ホースとを１本化することができ、排気ホースの断面積を大きくとることができて、排気能力が向上すると共に、気液排出装置並びにこれを搭載した空気調和機の設置時の工事性も向上する。
【図面の簡単な説明】
【図１】本発明の実施形態である空気調和機の室内機において前面パネルを取り外して主要部品を示す分解斜視図
【図２】図１の気液排出装置を背面側からみた斜視図
【図３】図１の気液排出装置の排気ファンケースを取り外した状態を示す分解斜視図
【図４】図１の合流ボックスの断面図
【図５】図１の合流ボックスにおける冷房運転時の弁の動作状態を示す断面図
【図６】図１の合流ボックスにおける冷房停止かつ排気運転時の弁動作状態を示す断面図
【図７】図１の合流ボックスにおける冷房運転かつ排気運転時の弁の動作状態を示す断面図
【図８】本発明の第２の実施形態における合流ボックスの断面図
【図９】図８の合流ボックスにおける冷房運転時の弁の動作状態を示す断面図
【図１０】図８の合流ボックスにおける冷房停止かつ排気運転時の弁の動作状態を示す断面図
【図１１】図８の合流ボックスにおける冷房運転かつ排気運転時の弁の動作状態を示す断面図
【図１２】本発明の第３の実施形態における合流ボックスの断面図
【図１３】本発明の第４の実施形態における合流ボックスの断面図
【図１４】本発明の第５の実施形態における合流ボックスの断面図
【図１５】図１４の合流ボックスにおける冷房停止かつ排気運転時の弁の動作状態を示す断面図
【図１６】図１４の合流ボックスにおける冷房運転かつ排気運転時の弁の動作状態を示す断面図
【符号の説明】
１　　室内機
２　　背面パネル
３　　室内熱交換器
４　　室内ファン
５　　吸込口
６　　吹出口
７　　ドレンパン
８　　換気用排気ファン
９　　合流ボックス
１２　　仕切壁
１３　　貯水部
１４　　排気部
１５　　出口
１６　　逆止弁
１６ａ　軸
１６ｂ　弁杆
１６ｃ　ピン
１６ｄ　弁子
１７　　共用ダクト
１８　　ドレン水入口
１９　　排気入口
２０　　開口部
２１　　弁座
２２　　断熱材
２５，２６，２７　　受圧翼
２８　　排気導入翼
３０　　隙間
【図１】
2004028457.tif 000003
【図２】
2004028457.tif 000004
【図３】
2004028457.tif 000005
【図４】
2004028457.tif 000006
【図５】
2004028457.tif 000007
【図６】
2004028457.tif 000008
【図７】
2004028457.tif 000009
【図８】
2004028457.tif 000010
【図９】
2004028457.tif 000011
【図１０】
2004028457.tif 000012
【図１１】
2004028457.tif 000013
【図１２】
2004028457.tif 000014
【図１３】
2004028457.tif 000015
【図１４】
2004028457.tif 000016
【図１５】
2004028457.tif 000017
【図１６】
2004028457.tif 000018